(57)【要約】【課題】  本発明は地震等によって大きく前後方向に揺れ動いても、隙間が生じるのを確実に防止することができるとともに、カバー体を小さく、きれいで、安価に設置することができる渡り通路用目地装置を得るにある。【解決手段】  左右の建物を連絡する渡り通路の、一方の渡り通路の目地部側躯体に左右方向にスライド移動可能に取付けられた筒状の目地パネルと、この目地パネルの先端部を他方の渡り通路の目地部側躯体に前後方向にスライド移動可能に支持する支持機構と、目地パネルの先端部の両側壁に一端部が取付けられ、他端部が他方の渡り通路の目地部側の外壁躯体に固定あるいはスライド移動可能に取付けられた、地震等によって異なる前後方向に揺れ動いた場合に生じる隙間を覆う一対の伸縮可能な目地壁と、この一対の伸縮可能な目地壁部分を覆う伸縮可能な外壁目地装置を備えたカバー体とで渡り通路用目地装置を構成している。【選択図】  図４
2005207127.tif 000002
【特許請求の範囲】
【請求項１】
目地部を介して設けられた左右の建物を連絡する渡り通路の、一方の渡り通路の目地部側躯体に左右方向にスライド移動可能に取付けられた筒状あるいは上部開口のコ字状の目地パネルと、この目地パネルの先端部を他方の渡り通路の目地部側躯体に前後方向にスライド移動可能に支持する支持機構と、前記目地パネルの先端部の両側壁に一端部が取付けられ、他端部が他方の渡り通路の目地部側の外壁躯体に固定あるいはスライド移動可能に取付けられた、地震等によって異なる前後方向に揺れ動いた場合に生じる隙間を覆う一対の伸縮可能な目地壁とからなることを特徴とする渡り通路用目地装置。
【請求項２】
目地部を介して設けられた左右の建物を連絡する渡り通路の、一方の渡り通路の目地部側躯体に左右方向にスライド移動可能に取付けられた筒状あるいは上部開口のコ字状の目地パネルと、この目地パネルの先端部を他方の渡り通路の目地部側躯体に前後方向にスライド移動可能に支持する支持機構と、前記目地パネルの先端部の両側壁に一端部が、該両側壁が渡り通路内に位置する移動時には追従し、この移動方向と反対方向の移動時には、追従することなく係止状態を保つ一対のスライド移動可能な目地壁とからなることを特徴とする渡り通路用目地装置。
【請求項３】
目地部を介して設けられた左右の建物を連絡する渡り通路の、一方の渡り通路の目地部側躯体に左右方向にスライド移動可能に取付けられた上部開口のコ字状の目地パネルと、この目地パネルの先端部を他方の渡り通路の目地部側躯体に前後方向にスライド移動可能に支持する支持機構と、前記他方の渡り通路の目地部側躯体に前後方向にスライド移動可能に取付けられた前記目地パネルの両側壁が渡り通路内に位置するように揺れ動いた場合にだけは該目地パネルの両側壁と係合して引出すことができる係合片を備える一対のスライド移動可能な目地壁と、この一対のスライド移動可能な目地壁をそれぞれ常時収納方向に付勢する付勢スプリングとからなることを特徴とする渡り通路用目地装置。
【請求項４】
目地部を介して設けられた左右の建物を連絡する渡り通路の、一方の渡り通路の目地部側の内壁躯体に左右方向にスライド移動可能に取付けられた一対の壁パネルおよびこの一対の壁パネル間の反目地部側が傾斜面に形成された凹部状の床部分を覆う後端部が上方に回動することが出来る床パネルとからなる目地パネルと、この目地パネルの先端部を他方の渡り通路の目地部側躯体に前後方向にスライド移動可能に支持するとともに、該目地パネルの床パネルの先端部を後端部が上方に回動することが出来るように支持する支持機構と、前記他方の渡り通路の目地部側躯体に前後方向にスライド移動可能に取付けられた前記目地パネルの一対の壁パネルが渡り通路内に位置するように揺れ動いた場合にだけは該目地パネルの一対の壁パネルと係合して引出すことができる係合片を備える一対のスライド移動可能な目地壁と、この一対のスライド移動可能な目地壁をそれぞれ常時収納方向に付勢する付勢スプリングとからなることを特徴とする渡り通路用目地装置。
【発明の詳細な説明】
【技術分野】
【０００１】
本発明は左右の建物を連絡する渡り通路の目地部を覆う渡り通路用目地装置に関する。
【背景技術】
【０００２】
従来の渡り通路の目地部を一方の渡り通路に一端部を左右方向にスライド移動可能に取付け、他端部を他方の渡り通路に前後方向にスライド移動可能に取付けた筒状の目地パネルを用いている。
【０００３】
このため、左右の建物が異なる前後方向に揺れ動いた場合に、目地パネルの他端部の両側壁と他方の渡り通路の両側壁との間に隙間が生じ、危険になるという欠点がある。
このため、目地パネルの他端部の両側壁に、他方の渡り通路の目地部側の躯体に沿ってスライド移動する隙間防止パネルを固定することも考えられているが、見苦しくなるという欠点があるとともに、この欠点を解消するために隙間防止パネルを覆うように伸縮可能な外壁目地装置を備えたカバー体を設置すると、該カバー体が大きくなり、コスト高になるという欠点があった。
【特許文献１】特になし
【発明の開示】
【発明が解決しようとする課題】
【０００４】
本発明は以上のような従来の欠点に鑑み、地震等によって大きく前後方向に揺れ動いても、隙間が生じるのを確実に防止することができるとともに、カバー体を小さく、きれいで、安価に設置することができる渡り通路用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物を連絡する渡り通路の、一方の渡り通路の目地部側躯体に左右方向にスライド移動可能に取付けられた筒状あるいは上部開口のコ字状の目地パネルと、この目地パネルの先端部を他方の渡り通路の目地部側躯体に前後方向にスライド移動可能に支持する支持機構と、前記目地パネルの先端部の両側壁に一端部が取付けられ、他端部が他方の渡り通路の目地部側の外壁躯体に固定あるいはスライド移動可能に取付けられた、地震等によって異なる前後方向に揺れ動いた場合に生じる隙間を覆う一対の伸縮可能な目地壁と、この一対の伸縮可能な目地壁部分を覆う伸縮可能な外壁目地装置を備えたカバー体とで渡り通路用目地装置を構成している。
【発明の効果】
【０００７】
以上の説明から明らかなように、本発明にあっては次に列挙する効果が得られる。
【０００８】
（１）目地パネルの先端部の両側壁に一端部が取付けられ、他端部が他方の渡り通路の目地部側の外壁躯体に取付けられた、地震等によって異なる前後方向に揺れ動いた場合に生じる隙間を覆う一対の伸縮可能な目地壁を用いているので、前後方向に揺れ動いても、目地部に隙間が生じるのを一対の伸縮壁で覆うことができる。
したがって、安全に使用することができる。
【０００９】
（２）前記（１）によって、一対の伸縮壁を設置しているので、該部位の寸法を小さく設定することができる。
したがって、伸縮可能な外壁目地装置を備えたカバー体を小さく、きれいで、安価に設置することができる。
【００１０】
（３）筒状の目地パネルの一端部を、一方の渡り通路の目地部側躯体に左右方向にスライド移動可能に取付けるとともに、他端部を他方の渡り通路の目地部側躯体に前後方向にスライド移動可能に支持機構で取付けているので、左右の建物の異なる左右方向および前後方向の揺れ動きを吸収することができる。
したがって、損傷することなく、長期間安全に使用することができる。
【００１１】
（４）請求項２、３も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図９に示す本発明を実施するための最良の第１の形態において、１は目地部２を介して設けられた左右の建物３、３を連絡する渡り通路４の目地部２を覆う本発明の渡り通路用目地装置で、この渡り通路用目地装置１は前記渡り通路４の目地部２側の一方の渡り通路４ａの床躯体５に形成された凹部５ａと、この凹部５ａ内のほぼ中央部に後端部が左右方向にスライド移動できるように、底面に複数個のローラー６が取付けられた筒状あるいは上部開口のコ字状の目地パネル７と、この目地パネル７の先端部の底面に取付けられた前後方向にスライド移動させる複数個のローラー８、この複数個のローラー８を前後方向にだけ移動させる、前記渡り通路４の目地部２側の他方の床躯体４ｂにほぼ水平に取付けられたガイドレール９とからなる支持機構１０と、前記凹部５ａを前記目地パネル７のスライド移動が可能に覆う一方の渡り通路４ａの床躯体５に取付けられたカバー部材１１と、前記目地パネル７の先端部の両側壁７ａ、７ａに一端部が取付けられ、他端部が前記他方の渡り通路４ｂの目地部側の外壁躯体４ｃ、４ｃに取付けられた一対の伸縮可能な目地壁１２、１２と、この一対の伸縮可能な目地壁１２、１２部分を覆う伸縮可能な外壁目地装置１３を備えたカバー体１４とで構成されている。
【００１４】
前記一対の伸縮可能な目地壁１２、１２は前記目地パネル７の先端部の両側壁７ａ、７ａに固定された支柱状の取付バー１５と、前記他方の渡り通路４ｂの目地部側の外壁躯体４ｃ、４ｃの上下部に取付けられたガイドレール１６、１６にスライド移動可能に取付けられた可動支柱１７と、この可動支柱１７に一端部が枢支され、他端部が前記取付バー１５に枢支された少なくとも２個以上の四角枠が４個形成されるパンタグラフ形状の伸縮リンク１８、１８と、この伸縮リンク１８、１８の両端部の枢支部１８ａ、１８ａ、中央部の枢支部１８ｂおよび一方の４分の１の部位の枢支部１８ｃに支持部材１９、１９Ａ、１９Ｂ、１９Ｃを介して一端部が固定された両端部が前後方向のクランク状となるように曲げ加工された４枚の目地カバー板２０、２０、２０、２０と、前記ガイドレール１６、１６の他方の渡り通路４ｂの開口部側および前記ガイドレール１６、１６の端部寄りの部位に固定された前記可動支柱１７の移動を阻止するストッパー片２１、２２とで構成されている。
【００１５】
前記カバー体１４は前記一方の渡り通路４ａの目地部側の両側部より、外側のストッパー片２２の位置する部位よりも外方へ突出するカバー壁２３、２３と、このカバー壁２３、２３の先端部と、この先端部と対応する部位の他方の渡り通路４ｂの目地部側外壁躯体４ｃとの間を覆う、前記目地壁１２の取付バー１５と可動支柱１７をヒンジ部材２４、２４を介して取付ける構造の伸縮可能な外壁目地装置１３、１３と、前記一方の渡り通路４ａの目地部２側の上面を先端部がスライド移動できるように他方の渡り通路４ｂの目地部側外壁躯体４ｃに取付けられた上部目地板２５とで構成されている。
【００１６】
上記構成の渡り通路用目地装置１は、通常時は図４に示すように一方の渡り通路４ａと他方の渡り通路４ｂの両側壁４ｄ、４ｄ、４ｄ、４ｄがほぼ一致した状態となっている。
【００１７】
地震等によって左右の建物３、３が異なる左右方向に揺れ動いた場合には、図８に示すように目地パネル７の後端部が一方の渡り通路４ａの目地部２側を左右方向にスライド移動し、上部目地板２５も先端部が一方の渡り通路４ａの上面を左右方向にスライド移動するとともに、カバー体１４の外壁目地装置１３、１３が伸縮して、その揺れ動きを吸収する。
【００１８】
また、左右の建物３、３が異なる前後方向に揺れ動いた場合には、図９に示すように目地パネル７が一方の渡り通路４ａと同方向に移動するため、目地パネル７の側壁７ａが他方の渡り通路４ｂ内に位置するが、該部位の伸縮可能な目地壁１２は伸長して隙間が生じるのを阻止し、反対側の伸縮可能な目地壁１２は収縮して外方へ突出するのを阻止するとともに、カバー体１４の外壁目地装置１３、１３は両端部が回動して傾斜状態になって、その揺れ動きを吸収する。
[発明を実施するための異なる形態]
【００１９】
次に、図１０ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、クランク状の４枚の目地カバー板２０、２０、２０、２０をガイドレール１６Ａ、１６Ａに沿って伸縮可能にスライド移動できるように取付けるとともに、両端部を取付バー１５と可動支柱１７に取付けた一対の伸縮可能な目地壁１２Ａ、１２Ａを用いた点で、このように形成された一対の目地壁１２Ａ、１２Ａを用いて構成した渡り通路用目地装置１Ａにしても、前記本発明を実施するための最良の第１の形態と同様な作用効果が得られるとともに、一対の目地壁１２Ａ、１２Ａの構造が簡単で、安価に製造することができる。
【００２１】
図１３ないし図１５に示す本発明を実施するための第３の形態において、前記本発明を実施するための第２の形態と主に異なる点は、伸縮可能な屏風状の目地カバー板２０Ａをスライド移動できるようにガイドレール１６Ｂ、１６Ｂに支持されるように取付けた点で、このように形成された屏風状の目地カバー板２０Ａを使用した一対の目地壁１２Ｂ、１２Ｂを用いて構成した渡り通路用目地装置１Ｂにしても、前記本発明を実施するための第２の形態と同様な作用効果が得られる。
なお、本発明の実施の形態では屏風状の目地カバー板２０Ａの一端部が取付けられている可動支柱１７を、他方の渡り通路４ｄの目地部側外壁躯体４ｃに固定的に取付けてもよい。この場合、ストッパー片は不要である。
【００２２】
図１６ないし図１８に示す本発明を実施するための第４の形態において、前記本発明を実施するための最良の第１の形態と主に異なる点は、目地パネル７の先端部の両側壁７ａ、７ａに一端部が、該両側壁７ａ、７ａが渡り通路４内に位置する移動時には追従し、この移動方向と反対方向の移動には追従することなく係止状態を保つ係止片２６、２６が形成された一対のスライド移動可能な目地壁１２Ｃ、１２Ｃを用いた点で、このように形成した一対の目地壁１２Ｃ、１２Ｃを用いて構成した渡り通路用目地装置１Ｃにしても、前記本発明を実施するための最良の第１の形態と同様な作用効果が得られる。
【００２３】
図１９および図２０に示す本発明を実施するための第５の形態において、前記本発明を実施するための第４の形態と主に異なる点は、他方の渡り通路４ｂの目地部２側の両側部より外方に突出するカバー壁２７、２７を形成し、このカバー壁２７、２７と一方の渡り通路４ａのカバー壁２３、２３とを用いてカバー体１４Ａを設置した点で、このようなカバー体１４Ａを用いて構成した渡り通路用目地装置１Ｄにしても、前記本発明を実施するための第４の形態と同様な作用効果が得られる。
【００２４】
図２１ないし図２４に示す本発明を実施するための第６の形態において、前記本発明を実施するための最良の第１の形態と主に異なる点は、上部開口のコ字状の目地パネル７Ａと、他方の渡り通路４ｂの目地部側躯体４ｂに前後方向にスライド移動可能に取付けられた前記目地パネル７Ａの両側壁７ａ、７ａが渡り通路４内に位置するように揺れ動いた場合にだけは該目地パネル７Ａの両側壁７ａ、７ａと係合して引出すことができる係合片２８、２８を備える一対のスライド移動可能な目地壁１２Ｄ、１２Ｄと、この一対のスライド移動可能な目地壁１２Ｄ、１２Ｄをそれぞれ常時収納方向に付勢する付勢スプリング２９、２９とを用いた点で、このように形成した目地パネル７Ａや一対のスライド移動可能な目地壁１２Ｄ、１２Ｄを用いて構成した渡り通路用目地装置１Ｅにしても、前記本発明を実施するための最良の第１の形態と同様な作用効果が得られる。
なお、前記一対のスライド移動可能な目地壁１２Ｄ、１２Ｄの背面には他方の渡り通路４ｂの目地部側躯体４ｃに所定間隔でほぼ水平に取付けられた複数個のガイドレール３０、３０にそれぞれ複数個のローラー３１を介してスライド移動できるガイド凹部３２、３２が設けられている。
【００２５】
図２５ないし図２７に示す本発明を実施するための第７の形態において、前記本発明を実施するための第６の形態と主に異なる点は、筒状に形成した目地パネル７Ｂと、この目地パネル７Ｂの背面には一方の渡り通路４ａの目地部側躯体４ｄに所定間隔でほぼ水平に取付けらた複数個のガイドレール３０、３０にそれぞれ複数個のローラー３１を介してスライド移動できるガイド凹部３２Ａ、３２Ａが設けられたものを用いた点で、このように形成した目地パネル７Ｂや一対のスライド移動可能な目地壁１２Ｄ、１２Ｄを用いて構成した渡り通路用目地装置１Ｆにしても、前記本発明を実施するための第６の形態と同様な作用効果が得られる。
【００２６】
図２８ないし図３０に示す本発明を実施するための第８の形態において、前記本発明を実施するための第７の形態と主に異なる点は、筒状に形成した目地パネル７Ｃの床面７ｂは後端部の下面が凹部５ａのない床躯体５の上面にじかに乗っていて左右方向にスライドして移動し、該床面７ｂの後端部には歩行時につま先が引っ掛からないように勾配を付けて延長したスロープ部３３が付属している点で、このように形成した目地パネル７Ｃや一対のスライド移動可能な目地壁１２Ｄ、１２Ｄを用いて構成した渡り通路用目地装置１Ｇにしても、前記本発明を実施するための第７の形態と同様な作用効果が得られる。
【００２７】
図３１ないし図３４に示す本発明を実施するための第９の形態において、前記本発明を実施するための第７の形態と主に異なる点は、目地パネル７Ｄは壁パネル７ｃ、７cと床パネル７ｄとからなり、該床パネル７ｄは該壁パネル７ｃ、７ｃの先端部と枢支ピン３４で上下方向に回動可能に枢支され、後端部は前記床躯体５の凹部５ａにじかに乗り、支持機構１０Ａは前記渡り通路４の目地部２側の他方の床躯体４ｂにほぼ水平に取付けられたガイドレール９と、このガイドレール９上に設置された該目地パネル７の先端下部に取付けられた略矩形断面の角パイプ３５を受けて前後方向にスライド移動させるための複数の回転ボール部材３６とからなり、左右の建物３、３が異なる左右方向に揺れ動き接近した場合には、該床パネル７ｄの後端部に設けたスロープ部７ｅが該床躯体５の凹部５ａの後端部に設けたスロープ部５ｂを滑りながら該枢支ピン３４を中心に上方に回動し、該床パネル７ｄの後端部にヒンジ部材３７を介して設置されたスロープ部材３８が下がって歩行時のつま先の引っ掛かりを防止する点で、このように形成した目地パネル７Ｄや一対のスライド移動可能な目地壁１２Ｄ、１２Ｄを用いて構成した渡り通路用目地装置１Ｈにしても、前記本発明を実施するための第７の形態と同様な作用効果が得られる。
【００２８】
図３５ないし図３７に示す本発明を実施するための第１０の形態において、前記本発明を実施するための最良の第６の形態と主に異なる点は、支持機構１０Ａが前記渡り通路４の目地部２側の他方の床躯体４ｂにほぼ水平に取付けられたガイドレール９と、このガイドレール９上に設置された該目地パネル７Ｅの先端下部に取付けられた略矩形断面の角パイプ３５を受けて前後方向にスライド移動させるための複数の回転ボール部材３６とからなる点で、このように形成した目地パネル７Ｅや一対のスライド移動可能な目地壁１２Ｄ、１２Ｄを用いて構成した渡り通路用目地装置１Ｉにしても、前記本発明を実施するための最良の第６の形態と同様な作用効果が得られる。
【００２９】
図３８ないし図４１に示す本発明を実施するための第１１の形態において、前記本発明を実施するための第９の形態と主に異なる点は、目地パネル７Ｆは壁パネル７ｆ、７ｆと床パネル７ｇとからなり、該床パネル７ｇは、該壁パネル７ｆ、７ｆの下面全面を両脇一杯に乗せるだけの奥行きを持って該壁パネル７ｆ、７ｆの下になり該壁パネル７ｆ、７ｆの先端部とヒンジ部材３９、３９で上下方向に回動可能に接続され、該壁パネル７ｆ、７ｆは、地震時に左右の建物３、３が異なる左右方向に揺れ動いて接近し該床パネル７ｇの後端部が上方に回動する場合に該壁パネル７ｆ、７ｆの下部に収納された上昇パネル４０、４０が上昇して該床パネル７ｇの変位に追随する点で、このように形成した目地パネル７Ｆや一対のスライド移動可能な目地壁１２Ｄ、１２Ｄを用いて構成した渡り通路用目地装置１Ｊにしても、前記本発明を実施するための第９の形態と同様な作用効果が得られる。
【産業上の利用可能性】
【００３０】
本発明は渡り通路用目地装置を製造する産業、およびこれを設置する産業で                利用される。
【図面の簡単な説明】
【００３１】
【図１】本発明を実施するための最良の第１の形態の平面図。
【図２】本発明を実施するための最良の第１の形態の一部破断正面図。
【図３】図１の３−３線に沿う断面図。
【図４】図２の４−４線に沿う断面図。
【図５】本発明を実施するための最良の第１の形態の目地壁の一部破断正面図。
【図６】本発明を実施するための最良の第１の形態の目地壁の一部破断背面図。
【図７】本発明を実施するための最良の第１の形態のカバー体の説明図。
【図８】本発明を実施するための最良の第１の形態の左右方向の動作説明図。
【図９】本発明を実施するための最良の第１の形態の前後方向の動作説明図。
【図１０】本発明を実施するための第２の形態の一部破断正面図。
【図１１】図１０の１１−１１線に沿う断面図。
【図１２】本発明を実施するための第２の形態の目地壁の説明図。
【図１３】本発明を実施するための第３の形態の一部破断正面図。
【図１４】図１３の１４−１４線に沿う断面図。
【図１５】本発明を実施するための第３の形態の目地壁の説明図。
【図１６】本発明を実施するための第４の形態の一部破断正面図。
【図１７】図１６の１７−１７線に沿う断面図。
【図１８】本発明を実施するための第４の形態の目地壁の説明図。
【図１９】本発明を実施するための第５の形態の一部破断正面図。
【図２０】図１９の２０−２０線に沿う断面図。
【図２１】本発明を実施するための第６の形態の一部破断正面図。
【図２２】図２１の２２−２２線に沿う断面図。
【図２３】本発明を実施するための第６の形態の目地パネルの説明図。
【図２４】本発明を実施するための第６の形態の目地壁の説明図。
【図２５】本発明を実施するための第７の形態の一部破断正面図。
【図２６】図２5の２６−２６線に沿う断面図。
【図２７】本発明を実施するための第７の形態の目地パネルの説明図。
【図２８】本発明を実施するための第８の形態の一部破断正面図。
【図２９】図２８の２９−２９線に沿う断面図。
【図３０】本発明を実施するための第８の形態の目地パネルの説明図。
【図３１】本発明を実施するための第９の形態の一部破断正面図。
【図３２】図３１の３２−３２線に沿う断面図。
【図３３】図３２の３３−３３線に沿う断面図。
【図３４】本発明を実施するための第９の形態の目地パネルの説明図。
【図３５】本発明を実施するための第１０の形態の一部破断正面図。
【図３６】図３５の３６−３６線に沿う断面図。
【図３７】本発明を実施するための第１０の形態の目地パネルの説明図。
【図３８】本発明を実施するための第１１の形態の一部破断正面図。
【図３９】図３８の３９−３９線に沿う断面図。
【図４０】本発明を実施するための第１１の形態の目地パネルの説明図。
【図４１】本発明を実施するための第１１の形態の壁パネルおよび床パネルの取合部の説明図。
【符号の説明】
【００３２】
１、１Ａ、１Ｂ、１Ｃ、１Ｄ、１Ｅ、１Ｆ、１Ｇ、１Ｈ、１Ｉ、１Ｊ：渡り通路用目地装置、
２：目地部、                  ３：建物、
４：渡り通路、                ４ａ：一方の渡り通路、
４ｂ：他方の渡り通路、        ５：床躯体、
５ａ：凹部、                  ５ｂ：スロープ部、
６：ローラー、
７、７Ａ、７Ｂ、７Ｃ、７Ｄ、７Ｅ、７Ｆ：目地パネル、
７ａ：両側壁、                ７ｂ：床面、
７ｃ：床面、                  ７ｄ：床パネル、
７ｅ：スロープ部、            ７ｆ：壁パネル、            
７ｇ：床パネル、              ８：ローラー、
９：ガイドレール、            １０、１０Ａ：支持機構、
１１：カバー部材、
１２、１２Ａ、１２Ｂ、１２Ｃ、１２Ｄ：目地壁、
１３：外壁目地装置、          １４、１４Ａ：カバー体、
１５：取付バー、              １６、１６Ａ、１６Ｂ：ガイドレール、
１７：可動支柱、              １８：伸縮リンク、
１９、１９Ａ、１９Ｂ、１９Ｃ：支持部材、
２０、２０Ａ：目地カバー板、  ２１、２２：ストッパー片、
２３：カバー壁、              ２４：ヒンジ部材、
２５：上部目地板、            ２６：係止片、
２７：カバー壁、              ２８：係合片、
２９：付勢スプリング、        ３０：ガイドレール、
３１：ローラー、              ３２、３２Ａ：ガイド凹部、
３３：スロープ部、            ３４：枢支ピン
３５：角パイプ、              ３６：回転ボール部材、
３７：ヒンジ部材、            ３８：スロープ部材、
３９：ヒンジ部材、            ４０：上昇パネル。
【図１】
2005207127.tif 000003
【図２】
2005207127.tif 000004
【図３】
2005207127.tif 000005
【図４】
2005207127.tif 000006
【図５】
2005207127.tif 000007
【図６】
2005207127.tif 000008
【図７】
2005207127.tif 000009
【図８】
2005207127.tif 000010
【図９】
2005207127.tif 000011
【図１０】
2005207127.tif 000012
【図１１】
2005207127.tif 000013
【図１２】
2005207127.tif 000014
【図１３】
2005207127.tif 000015
【図１４】
2005207127.tif 000016
【図１５】
2005207127.tif 000017
【図１６】
2005207127.tif 000018
【図１７】
2005207127.tif 000019
【図１８】
2005207127.tif 000020
【図１９】
2005207127.tif 000021
【図２０】
2005207127.tif 000022
【図２１】
2005207127.tif 000023
【図２２】
2005207127.tif 000024
【図２３】
2005207127.tif 000025
【図２４】
2005207127.tif 000026
【図２５】
2005207127.tif 000027
【図２６】
2005207127.tif 000028
【図２７】
2005207127.tif 000029
【図２８】
2005207127.tif 000030
【図２９】
2005207127.tif 000031
【図３０】
2005207127.tif 000032
【図３１】
2005207127.tif 000033
【図３２】
2005207127.tif 000034
【図３３】
2005207127.tif 000035
【図３４】
2005207127.tif 000036
【図３５】
2005207127.tif 000037
【図３６】
2005207127.tif 000038
【図３７】
2005207127.tif 000039
【図３８】
2005207127.tif 000040
【図３９】
2005207127.tif 000041
【図４０】
2005207127.tif 000042
【図４１】
2005207127.tif 000043